(57)【要約】【課題】蒸気排出機能をもち、電子レンジ内部を内容物で汚すことがなく、取り出すときに蒸気で指や手などを火傷する危惧がない蒸気排出機能をもつパウチの外装用カートンを提供する。【解決手段】加熱調理時に蒸気排出機能をもつパウチを収納し、そのまま加熱調理が可能な外装用カートンであり、偏平な長方体状で、天板の前方側部分に、複数箇の環状切れ目線による蒸気排出孔部を形成し、外側前板の外端側に、天板の複数個の蒸気排出孔部を覆う覆い板を折り目線を介して延設し、覆い板を折り曲げて、天板の複数個の蒸気排出孔部に覆い板を貼着し、加熱調理するときには、覆い板を、外側前板の外端側の折り目線を支線として前方側へ回転させて、複数個の蒸気排出孔部を覆い板に貼着させたまま環状切れ目線を破断して、天板の前方側部分に、複数箇の蒸気排出孔を形成する。【選択図】図１
2008143550.tif 000002
【特許請求の範囲】
【請求項１】
加熱調理により内部蒸気圧が所定以上に上昇したときに蒸気排出機能をもつパウチを収納し、該パウチを収納したまま電子レンジなどで加熱調理が可能な外装用カートンであって、天板と底板と左右の側板と前板と後板とからなり、形状が偏平な長方体状であり、前記天板の前方側部分に、複数箇の環状切れ目線による蒸気排出孔部を形成し、前記前板は、外側前板と内側前板とからなり、該外側前板の外端側に、前記天板の複数個の蒸気排出孔部を覆う覆い板を折り目線を介して延設し、前記覆い板を前記折り目線で折り曲げて、前記天板の複数個の蒸気排出孔部に前記覆い板を貼着し、加熱調理するときには、前記覆い板を、前記外側前板の外端側の折り目線を支線として前方側へ回転させて、前記複数個の蒸気排出孔部を前記覆い板に貼着させたまま環状切れ目線を破断して、前記天板の前方側部分に、複数箇の蒸気排出孔を形成することを特徴とする蒸気排出機能をもつパウチの外装用カートン。
【請求項２】
加熱調理により内部蒸気圧が所定以上に上昇したときに蒸気排出機能をもつパウチを収納し、該パウチを収納したまま電子レンジなどで加熱調理が可能な外装用カートンであって、天板と底板と左右の側板と前板と後板とからなり、形状が偏平な長方体状であり、前記天板の前方側部分に、複数箇の蒸気排出孔を形成し、前記前板は、外側前板と内側前板とからなり、該外側前板の外端側に、前記天板の複数個の蒸気排出孔を覆う覆い板を折り目線を介して延設し、前記覆い板を前記折り目線で折り曲げて、前記天板の複数個の蒸気排出孔を覆うようにして前記覆い板を前記天板に剥離可能に貼着し、加熱調理するときには、前記覆い板を、前記外側前板の外端側の折り目線を支線として前方側へ回転させて前記天板から剥離し、前記天板の前方側部分に設けられている複数個の蒸気排出孔を開口させることを特徴とする蒸気排出機能をもつパウチの外装用カートン。
【発明の詳細な説明】
【技術分野】
【０００１】
本発明は、加熱調理したときに蒸気排出機能をもつパウチを収納したままで、電子レンジなどで加熱調理が可能な外装用カートンに関するものである。
【背景技術】
【０００２】
近年、調理済みあるいは半調理済みの食品などを積層包装材料からなるパウチに充填、密封し、食する直前に、電子レンジなどで加熱又は調理するタイプの包装食品が多く使用されてきた。これらの包装食品の包装形態としては、種々のものがあるが、例えば食品をフレキシブルなパウチに充填、密封しただけの包装形態のもの、あるいは、食品をパウチに充填、密封したものを外装用カートンに収納した二重の包装形態のものなどがある。そして、使用するパウチには、加熱したときに食品などから発生する水蒸気などの内圧上昇により破袋して、収納する食品などがパウチの外に飛散することを防止するための色々な工夫が必要となってきた。また、外装用カートンを用いた二重の包装形態のものをそのまま電子レンジなどで加熱調理する場合には、使用する外装用カートンにも発生する蒸気を外側へ逃がす機能が要求される。そこで、二重の包装形態に使用する外装用カートンにも、発生する蒸気を外側へ逃がす機能を付与したものが提案されていた（例えば、特許文献１参照。）。
【特許文献１】特許第３４６３２９６号公報
【発明の開示】
【発明が解決しようとする課題】
【０００３】
しかしながら、上述した二重の包装形態に使用する外装用カートンは、天壁と側壁と底壁に破断用ラインが形成されており、加熱調理するときに、これらの破断用ラインを破断して電子レンジなどに入れるものであり、加熱調理時に収納する内容物で電子レンジ内部を汚したり、加熱調理後に取り出すときに、噴出する蒸気で指や手などをを火傷する危惧があった。
【０００４】
本発明は、上述の従来の二重の包装形態に使用する外装用カートンの問題点を解決したものであり、蒸気排出機能をもち、加熱調理時に電子レンジ内部を内容物で汚すことがなく、取り出すときに噴出する蒸気で指や手などを火傷する危惧がない蒸気排出機能をもつパウチの外装用カートンを提供するものである。
【課題を解決するための手段】
【０００５】
すなわち、本発明の第１の発明は、加熱調理により内部蒸気圧が所定以上に上昇したときに蒸気排出機能をもつパウチを収納し、このパウチを収納したまま電子レンジなどで加熱調理が可能な外装用カートンであって、天板と底板と左右の側板と前板と後板とからなり、形状が偏平な長方体状であり、前記天板の前方側部分に、複数箇の環状切れ目線による蒸気排出孔部を形成し、前記前板は、外側前板と内側前板とからなり、その外側前板の外端側に、前記天板の複数個の蒸気排出孔部を覆う覆い板を折り目線を介して延設し、前記覆い板を前記折り目線で折り曲げて、前記天板の複数個の蒸気排出孔部に前記覆い板を貼着し、加熱調理するときには、前記覆い板を、前記外側前板の外端側の折り目線を支線として前方側へ回転させて、前記複数個の蒸気排出孔部を前記覆い板に貼着させたまま環状切れ目線を破断して、前記天板の前方側部分に、複数箇の蒸気排出孔を形成することを特徴とする蒸気排出機能をもつパウチの外装用カートンである。
【０００６】
そして、本発明の第２の発明は、加熱調理により内部蒸気圧が所定以上に上昇したとき
に蒸気排出機能をもつパウチを収納し、このパウチを収納したまま電子レンジなどで加熱調理が可能な外装用カートンであって、天板と底板と左右の側板と前板と後板とからなり、形状が偏平な長方体状であり、前記天板の前方側部分に、複数箇の蒸気排出孔を形成し、前記前板は、外側前板と内側前板とからなり、その外側前板の外端側に、前記天板の複数個の蒸気排出孔を覆う覆い板を折り目線を介して延設し、前記覆い板を前記折り目線で折り曲げて、前記天板の複数個の蒸気排出孔を覆うようにして前記覆い板を前記天板に剥離可能に貼着し、加熱調理するときには、前記覆い板を、前記外側前板の外端側の折り目線を支線として前方側へ回転させて前記天板から剥離し、前記天板の前方側部分に設けられている複数個の蒸気排出孔を開口させることを特徴とする蒸気排出機能をもつパウチの外装用カートンである。
【発明の効果】
【０００７】
本発明の蒸気排出機能をもつパウチの外装用カートンは、蒸気排出機能をもつパウチを収納し、天板の前方側部分に、複数箇の環状切れ目線による蒸気排出孔部を形成するか又は複数箇の蒸気排出孔を形成している。そして、加熱調理される前には、これらの蒸気排出孔部又は蒸気排出孔は、外側前板の外端側に折り目線を介して延設された覆い板で覆われているが、加熱調理するときには、覆い板を外側前板の外端側の折り目線を支線として前方側へ回転させて天板から剥離し、天板に蒸気排出孔を開口して、電子レンジなど入れられる。このため、外装用カートン内に収納されているパウチが加熱調理により内部蒸気圧が所定以上に上昇して蒸気排出機能により蒸気を排出しても、外装用カートン内に排出された蒸気は、天板の蒸気排出孔から外側へ排出される。この結果、外装用カートン内に蒸気が過度に籠もることがなく、外装用カートンを電子レンジなどから取り出すときに、指や手を火傷することが防げる。また、パウチから内容物が漏れたとしても、外装用カートン内であり、また、カートンの蒸気排出孔は、天板の前方側部分に設けられており、電子レンジの内部を内容物で汚すことがない。なお、覆い板が、カートンの蒸気排出孔から噴出する蒸気から指や手を守る楯の働きもする。
【発明を実施するための最良の形態】
【０００８】
次に、本発明の蒸気排出機能をもつパウチの外装用カートンの実施の形態について、図を用いて詳細に説明する。
【０００９】
図１（ａ）は、実施形態１の外装用カートンのブランクの展開平面図であり、図１（ｂ）は、そのブランクを折り畳んだ外装用カートンに蒸気排出機能をもつパウチを収納して加熱調理したときの状態を示す説明図である。図２（ａ）は、実施形態２の外装用カートンのブランクの展開平面図であり、図２（ｂ）は、そのブランクを折り畳んだ外装用カートンに蒸気排出機能をもつパウチを収納して加熱調理したときの状態を示す説明図である。
【００１０】
実施形態１の蒸気排出機能をもつパウチの外装用カートンは、調理済みあるいは半調理済みの食品など充填した加熱調理時に蒸気排出機能をもつパウチを収納し、このパウチを収納したまま電子レンジなどで加熱調理が可能な外装用カートンである。天板と底板と左右の側板と前板と後板とからなる偏平な長方体状で、天板の前方側部分に、複数箇の環状切れ目線による蒸気排出孔部を形成し、前板は外側前板と内側前板とからなり、外側前板の外端側に、折り目線を介して天板の複数個の蒸気排出孔部を覆う覆い板を延設し、覆い板を折り目線で折り曲げて、天板の複数個の蒸気排出孔部に覆い板を貼着したものである。
【００１１】
次に、実施形態１の外装用カートンのブランク（１００）は、カートンの使用目的に合わせた坪量の板紙からなり、図１（ａ）に示すように、貼着板（１０１）の右側に、折り目線を介して底板（１０２）を連設し、底板の右側に、折り目線を介して左側板（１０３
）を連設し、左側板の右側に、折り目線を介して天板（１０４）を連設し、天板の右側に、折り目線を介して右側板（１０５）を連設し、底板（１０２）の上端に、折り目線を介して外側前板（１０６）を連設し、外側前板の上端に、折り目線を介して覆い板（１０７）を連設し、底板（１０２）の下端に、折り目線を介して外側後板（１０８）を連設し、左側板（１０３）の上端に、折り目線を介して左前フラップ（１０９）を連設し、左側板の下端に、折り目線を介して左後フラップ（１１０）を連設し、天板（１０４）の上端に、折り目線を介して内側前板（１１１）を連設し、天板の下端に、折り目線を介して内側後板（１１２）を連設し、右側板の上端に、折り目線を介して右前フラップ（１１３）を連設し、右側板の下端に、折り目線を介して右後フラップ（１１４）を連設し、天板（１０４）の前方側部分に、前方側から１列目に７個、２列目に６個、３列目に７個を並列させて、２０個の環状切れ目線（１１５）による蒸気排出孔部（１１６）を形成するものである。
【００１２】
なお、外装用カートンの製箱においては、加熱調理後に収納するパウチを取り出すため、前板を開口し易いように、外側前板と内側前板と左右前方フラップを貼着するものである。
【００１３】
そして、内容物を充填した蒸気排出機能をもつパウチを収納する実施形態１の外装用カートンを電子レンジなどで加熱調理するときには、図１（ｂ）に示すように、覆い板（１０７）を外側前板（１０６）の外端側の折り目線を支線として前方側へ回転させて、天板（１０４）の前方側部分に形成した複数個の蒸気排出孔部（１１６）を覆い板に貼着させたまま環状切れ目線を破断して、天板の前方側部分に数箇の蒸気排出孔（１１７）を形成するものである。
【００１４】
なお、加熱調理により内部蒸気圧が所定以上に上昇したパウチ（２０）は、図１（ｂ）に示すように、シール部（２１）の近傍に設けられた折込み部（２２）の内在するイージーピールテープ（２３）により封止されている蒸気排出部（２４）が蒸気圧により開口して、内部の蒸気（１）を蒸気排出部（２４）から外装用カートン（１０）内へ噴出する。この外装用カートン内に噴出された蒸気（１）は、天板（１０４）の前方側部分に設けられている２０箇の蒸気排出孔（１１７）から排出される。
【００１５】
次に、実施形態２の蒸気排出機能をもつパウチの外装用カートンは、調理済みあるいは半調理済みの食品など充填した加熱調理時に蒸気排出機能をもつパウチを収納し、このパウチを収納したまま電子レンジなどで加熱調理が可能な外装用カートンである。天板と底板と左右の側板と前板と後板とからなる偏平な長方体状で、天板の前方側部分に、複数箇の蒸気排出孔を形成し、前板は外側前板と内側前板とからなり、外側前板の外端側に、折り目線を介して天板の複数個の蒸気排出孔を覆う覆い板を延設し、覆い板を折り目線で折り曲げて、天板の複数個の蒸気排出孔を覆うようにして覆い板を天板に剥離可能に貼着したものである。
【００１６】
次に、実施形態２の外装用カートンのブランク（１００）は、カートンの使用目的に合わせた坪量の板紙からなり、図２（ａ）に示すように、貼着板（１０１）の右側に、折り目線を介して底板（１０２）を連設し、底板の右側に、折り目線を介して左側板（１０３）を連設し、左側板の右側に、折り目線を介して天板（１０４）を連設し、天板の右側に、折り目線を介して右側板（１０５）を連設し、底板（１０２）の上端に、折り目線を介して外側前板（１０６）を連設し、外側前板の上端に、折り目線を介して覆い板（１０７）を連設し、底板（１０２）の下端に、折り目線を介して外側後板（１０８）を連設し、左側板（１０３）の上端に、折り目線を介して左前フラップ（１０９）を連設し、左側板の下端に、折り目線を介して左後フラップ（１１０）を連設し、天板（１０４）の上端に、折り目線を介して内側前板（１１１）を連設し、天板の下端に、折り目線を介して内側後板（１１２）を連設し、右側板の上端に、折り目線を介して右前フラップ（１１３）を連設し、右側板の下端に、折り目線を介して右後フラップ（１１４）を連設し、天板（１０４）の前方側部分に、前方側から１列目に７個、２列目に６個、３列目に７個を並列させて、２０個の蒸気排出孔（１１７）を形成するものである。
【００１７】
なお、外装用カートンの製箱においては、実施形態１と同様に、加熱調理後に収納するパウチを取り出すため、前板を開口し易いように、外側前板と内側前板と左右前方フラップを貼着するものである。
【００１８】
そして、内容物を充填した蒸気排出機能をもつパウチを収納する実施形態２の外装用カートンを電子レンジなどで加熱調理するときには、図２（ｂ）に示すように、覆い板（１０７）を外側前板（１０６）の外端側の折り目線を支線として前方側へ回転させて天板（１０４）から剥離し、天板の前方側部分に設けられている２０個の蒸気排出孔（１１７）を開口する。
【００１９】
なお、加熱調理により内部蒸気圧が所定以上に上昇したパウチ（２０）は、図２（ｂ）に示すように、シール部（２１）の近傍に設けられた折込み部（２２）の内在するイージーピールテープ（２３）により封止されている蒸気排出部（２４）が蒸気圧によって開口して、内部の蒸気（１）を蒸気排出部（２４）から外装用カートン（１０）内へ噴出する。この外装用カートン内に噴出された蒸気（１）は、天板（１０４）の前方側部分に設けられている２０箇の蒸気排出孔（１１７）から排出される。
【図面の簡単な説明】
【００２０】
【図１】（ａ）は、本発明の外装用カートンの一実施形態のブランクの展開平面図であり、（ｂ）は、そのブランクを折り畳んだ外装用カートンに蒸気排出機能をもつパウチを収納して加熱調理したときの状態を示す説明図である。
【図２】（ａ）は、本発明の外装用カートンの他の一実施形態のブランクの展開平面図であり、（ｂ）は、そのブランクを折り畳んだ外装用カートンに蒸気排出機能をもつパウチを収納して加熱調理したときの状態を示す説明図である。
【符号の説明】
【００２１】
１……蒸気
１０……カートン
２０……パウチ
２１……シール部
２２……折込み部
２３……イージーピールテープ
２４……蒸気排出部
１００……ブランク
１０１……貼着板
１０２……底板
１０３……左側板
１０４……天板
１０５……右側板
１０６……外側前板
１０７……覆い板
１０８……外側後板
１０９……左前フラップ
１１０……左後フラップ
１１１……内側前板
１１２……内側後板
１１３……右前フラップ
１１４……右後フラップ
１１５……環状切れ目線
１１６……蒸気排出孔部
１１７……蒸気排出孔
【図１】
2008143550.tif 000003
【図２】
2008143550.tif 000004